(57)【要約】【課題】電話線やＬＡＮケーブルなどを利用する遠隔地給電において瞬時停電が発生しても所望の製品性能保証時間を満足することができることを目的とする。【解決手段】２つの入力電源の電圧を所定電圧に変換する電源変換回路１１と、瞬時停電時のバックアップ電源となるバックアップバッテリー回路１３と、２つの入力電源からバックアップバッテリー回路に充電するチャージ回路１４と、２つの入力電源のうちのどちらの入力電源で動作しているかを判別する動作電源判別回路１２と、瞬時停電時にバックアップバッテリー回路から放電するディスチャージ回路１５と、動作電源判別回路における判別結果を入力する制御回路１６とを有し、動作電源判別回路において２つの入力電源のうちのどちらの入力電源で動作しているかを判別することができ、製品性能の保証時間を長くするようにチャージ回路とディスチャージ回路とを制御することができる。【選択図】図１
2005287218.tif 000002
【特許請求の範囲】
【請求項１】
２つの入力電源をもつと共に瞬時停電時のバックアップ機能を有する２電源入力装置であって、
前記２つの入力電源の電圧を所定電圧に変換する電源変換回路と、瞬時停電時のバックアップ電源となるバックアップバッテリー回路と、前記２つの入力電源から前記バックアップバッテリー回路に充電するチャージ回路と、前記２つの入力電源のうちのどちらの入力電源で動作しているかを判別する動作電源判別回路と、瞬時停電時に前記バックアップバッテリー回路から放電するディスチャージ回路と、前記動作電源判別回路における判別結果を入力する制御回路とを有することを特徴とする２電源入力装置。
【請求項２】
前記動作している入力電源が安定していると前記制御回路が判定したときには前記電源変換回路を省電力モードに設定する電源制御回路を備えたことを特徴とする請求項１に記載の２電源入力装置。
【発明の詳細な説明】
【技術分野】
【０００１】
本発明は、２つの入力電源（例えば電源発生箇所が近い入力電源と遠い入力電源）をもつと共に瞬時停電時のバックアップ機能を有する２電源入力装置に関するものである。
【背景技術】
【０００２】
従来のＡＣアダプタを使用するような単一入力電源の製品（単一電源入力装置）においては、瞬時停電時における製品性能保証時間（瞬時停電時からどのくらいの時間、製品の性能を保証するかということ）は、その製品の性能が時間経過に伴う電源能力低下（例えば電圧低下、供給電力低下）により劣化することが問題にならない程度の時間に規定される。瞬時停電時におけるバックアップ用のデバイスとしては、一次電池や二次電池、電気二重層コンデンサ等の大容量コンデンサ、アルミ電解コンデンサのような通常使用するコンデンサなどがある。バックアップの方法としては、ＡＣアダプタ等の単一入力電源が正常な場合には単一入力電源が製品に供給されると同時にバックアップ用のデバイスのチャージ回路にも同様に電源供給され、そのバックアップ用のデバイスがチャージされる。そして、単一入力電源において瞬時停電が発生すると、ディスチャージ回路より製品に電源が供給され、瞬時停電時の製品の性能を保証している。
【０００３】
しかし、通信機器等の製品においては、ＡＣアダプタのみの単一入力電源からの電源供給だけでなく、電話線やＬＡＮケーブルを利用してその製品に電源が供給される２電源入力の場合もある。そのような２電源入力を持つ製品（２電源入力装置）は、電話線やＬＡＮケーブルを利用する電源入力は離れたところからの電源供給であるため、接続される相手装置（ここでは電話線やＬＡＮケーブルなどを利用して電源を供給する電源装置）の電源能力に左右されて、瞬時停電時に目標とする製品性能保証時間を満足することができないと言う事が発生する。このため、瞬時停電が発生しても支障なく製品の性能が満足される事が望まれていた。
【０００４】
ここで、例えば（特許文献１）によれば、有効化手段によって、２つの電圧供給手段の一方を他方より早く有効化することにより、電源投入時あるいは遮断時の過渡状態においても被制御系に接続された負荷に誤動作を起こす事がないようにする電源装置が示されている。
【０００５】
しかし、従来の２電源入力装置としての（特許文献１）に記載の電源装置においては、２つの電圧供給手段は共通の電源を入力するものであり、別々の系統の２つの電源を入力するものではなく、このような時の誤動作については示されていない。
【特許文献１】特開昭６３−１３２３２０号公報
【発明の開示】
【発明が解決しようとする課題】
【０００６】
このように、従来の２電源入力装置では、ＡＣアダプタのみの単一入力電源からの電源供給だけでなく、電話線やＬＡＮケーブルを利用して電源が供給される場合もあり、電話線やＬＡＮケーブルを利用するような電源入力を持つ２電源入力装置は、離れたところからの電源供給であるため、接続される相手装置の電源能力に左右されて瞬時停電時に目標とする製品性能保証時間を満足できず、通信機器の場合には通話が途切れたり、接続が遮断されるという問題点を有していた。
【０００７】
この２電源入力装置では、電話線やＬＡＮケーブルなどを利用する遠隔地給電において瞬時停電が発生しても所望の製品性能保証時間を満足することが要求されている。
【０００８】
本発明は、この要求を満たすため、電話線やＬＡＮケーブルなどを利用する遠隔地給電において瞬時停電が発生しても所望の製品性能保証時間を満足することができる２電源入力装置を提供することを目的とする。
【課題を解決するための手段】
【０００９】
上記課題を解決するために本発明の２電源入力装置は、２つの入力電源をもつと共に瞬時停電時のバックアップ機能を有する２電源入力装置であって、２つの入力電源の電圧を所定電圧に変換する電源変換回路と、瞬時停電時のバックアップ電源となるバックアップバッテリー回路と、２つの入力電源からバックアップバッテリー回路に充電するチャージ回路と、２つの入力電源のうちのどちらの入力電源で動作しているかを判別する動作電源判別回路と、瞬時停電時にバックアップバッテリー回路から放電するディスチャージ回路と、動作電源判別回路における判別結果を入力する制御回路とを有する構成を備えている。
【００１０】
これにより、電話線やＬＡＮケーブルなどを利用する遠隔地給電において瞬時停電が発生しても所望の製品性能保証時間を満足することができる２電源入力装置が得られる。
【発明の効果】
【００１１】
本発明の２電源入力装置は、２つの入力電源をもつと共に瞬時停電時のバックアップ機能を有する２電源入力装置であって、２つの入力電源の電圧を所定電圧に変換する電源変換回路と、瞬時停電時のバックアップ電源となるバックアップバッテリー回路と、２つの入力電源からバックアップバッテリー回路に充電するチャージ回路と、２つの入力電源のうちのどちらの入力電源で動作しているかを判別する動作電源判別回路と、瞬時停電時にバックアップバッテリー回路から放電するディスチャージ回路と、動作電源判別回路における判別結果を入力する制御回路とを有することにより、動作電源判別回路において２つの入力電源のうちのどちらの入力電源で動作しているかを判別することができ、製品性能の保証時間を確保するようにチャージ回路とディスチャージ回路とを制御することができるので、２電源入力装置が例えば通信装置である場合における通話の途切れや接続遮断を防止することができ、相手との会話を支障なく行うことができるという有利な効果が得られる。
【００１２】
さらに、動作している入力電源が安定していると制御回路が判定したときには電源変換回路を省電力モードに設定する電源制御回路を備えたことにより、電源が安定して供給されていると判定された場合には、２電源入力装置が正常動作する上で最小限必要な電源のみを供給するようにすることができ（例えば待機動作において必要ない電源は供給しないようにすることができ）、通常動作になった時は再び最小限必要な電源以外の電源も動作させるようにすることができるので、通常動作から待機動作に移行したときには省電力モードに設定することができ、逆に待機動作から通常動作へ移行したときに元のモード（通常モード）に設定することができ、結果的に２電源入力装置の電力消費を低減することができるという有利な効果が得られる。
【発明を実施するための最良の形態】
【００１３】
本発明は、電話線やＬＡＮケーブルなどを利用する遠隔地給電において瞬時停電が発生しても所望の製品性能保証時間を満足するという目的を、２つの入力電源のうちのどちらの入力電源で動作しているかを動作電源判別回路で判別し、動作電源判別回路の判別結果の示す動作電源の状態に応じてバッテリーに充電し、瞬時停電時にはバッテリーから放電させることにより実現した。
【００１４】
上記課題を解決するためになされた第１の発明は、２つの入力電源をもつと共に瞬時停
電時のバックアップ機能を有する２電源入力装置であって、２つの入力電源の電圧を所定電圧に変換する電源変換回路と、瞬時停電時のバックアップ電源となるバックアップバッテリー回路と、２つの入力電源からバックアップバッテリー回路に充電するチャージ回路と、２つの入力電源のうちのどちらの入力電源で動作しているかを判別する動作電源判別回路と、瞬時停電時にバックアップバッテリー回路から放電するディスチャージ回路と、動作電源判別回路における判別結果を入力する制御回路とを有する構成を備えている。
【００１５】
この構成により、動作電源判別回路において２つの入力電源のうちのどちらの入力電源で動作しているかを判別することができ、製品性能の保証時間を確保するようにチャージ回路とディスチャージ回路とを制御することができるので、２電源入力装置が例えば通信装置である場合における通話の途切れや接続遮断を防止することができ、相手との会話を支障なく行うことができるという作用・効果を有する。
【００１６】
上記課題を解決するためになされた第２の発明は、動作している入力電源が安定していると制御回路が判定したときには電源変換回路を省電力モードに設定する電源制御回路を備えることとしたものである。
【００１７】
この構成により、電源が安定して供給されていると判定された場合には、２電源入力装置が正常動作する上で最小限必要な電源のみを供給するようにすることができ（例えば待機動作において必要ない電源は供給しないようにすることができ）、通常動作になった時は再び最小限必要な電源以外の電源も動作させるようにすることができるので、通常動作から待機動作に移行したときには省電力モードに設定することができ、逆に待機動作から通常動作へ移行したときに元のモード（通常モード）に設定することができ、結果的に２電源入力装置の電力消費を低減することができるという作用・効果を有する。
【００１８】
（実施の形態１）
図１は、本発明の実施の形態１による２電源入力装置を示すブロック図である。
【００１９】
図１において、１は２つの電源入力を持つ通信機器等の２電源入力装置、２は２電源入力装置１の一つの入力電源ラインで出力電圧Ｖ１のＡＣアダプタ等の入力電源ライン、３は同様に２電源入力装置１のもう一つの入力電源ラインで電話線やＬＡＮケーブルを介して供給される出力電圧Ｖ２の入力電源ライン（つまりこのラインは電話線やＬＡＮケーブルである）、１１は２電源入力装置１に入力される電源をその装置に必要な電圧に変換する電源変換回路、１２は２電源入力装置１に入力されるＶ１の入力電源とＶ２の入力電源のいずれが２電源入力装置１の電源として使用されているかを判別し、その判別結果を示す情報（判別結果）を２電源入力装置１の制御回路１６（後述する）に送る動作電源判別回路、１３は２電源入力装置１が瞬時停電状態になったときに製品性能保証時間を満足するためのバッテリー（例えば電気二重層コンデンサ：スーパーキャパシタ）であるバックアップバッテリー回路、１４は２電源入力装置１をバックアップするためのバッテリーであるバックアップバッテリー回路１３を充電するチャージ回路、１５は２電源入力装置１が何らかの原因で瞬時停電状態になった時に２電源入力装置１をバックアップするためにバックアップバッテリー回路１３を放電させるディスチャージ回路、１６は２電源入力装置１全体を制御する制御回路である。
【００２０】
このように構成された２電源入力装置について、その動作を説明する。
【００２１】
２電源入力装置１に入力されるＶ１の入力電源とＶ２の入力電源（どちらか一方もしくは両方とも入力）は、電源変換回路１１及びチャージ回路１４に入力される。電源変換回路１１では、入力された電源は、制御回路１６に必要な電圧にＤＣ／ＤＣコンバータやレギュレータ等により変換され、制御回路１６に供給される。一方チャージ回路１４は、瞬
時停電時に製品性能保証時間を満足するためのバックアップバッテリー回路１３を充電するときの充電電圧や充電時間を制御する為の回路で構成されている。そして、この充電の制御条件に従って、バックアップバッテリー回路１３のバッテリー（例えば電気二重層コンデンサ：スーパーキャパシタ）が、瞬時停電が発生した時に製品性能保証時間を満足するように充電される。また、動作電源判別回路１２は、現在２電源入力装置１に入力されている電源がＶ１の入力電源なのかＶ２の入力電源なのかを判別したり、入力電源の電圧を常にモニターして制御回路１６にその情報を送る。ディスチャージ回路１５は、２電源入力装置１が何らかの原因で瞬時停電状態になった時に製品性能保証時間を満足するように、バックアップバッテリー回路１３のバッテリーより放電をさせる。ここで、入力電源が電話線やＬＡＮケーブルなどの入力電源ライン３を利用するＶ２の入力電源である場合、遠隔地からの給電であるために接続される相手装置（ここでは電話線やＬＡＮケーブルなどを利用して電源を供給する電源装置）の電源能力に左右されてしまう。
【００２２】
しかし、本実施の形態では、動作電源判別回路１２を持つ事で、現在２電源入力装置１に入力されている電源がＶ１の入力電源なのかＶ２の入力電源なのかを判別したり、入力電源の電圧を常にモニターしているので、相手装置の電源能力に左右され電圧状態が不安定な状態となり、２電源入力装置１が瞬時停電状態になっても、バックアップバッテリー回路１３のバッテリーより放電をさせることで製品性能保証時間を満足させることができる。すなわち、チャージ回路１４は、２電源入力装置１にＡＣアダプタもしくは遠隔地給電により給電されると同時に、バックアップバッテリー回路１３をチャージする。ディスチャージ回路１５は、動作電源判別回路１２において動作電源の状態をモニターし、電源変換回路１１の動作に支障をきたす電圧レベルに落ちた時に、動作電源判別回路１２により制御され、瞬時停電が発生しても製品性能の保証時間を確保するようにする。
【００２３】
このように、本実施の形態によれば、入力電源がＡＣアダプタのみの単一だけでなく，電話線やＬＡＮケーブル等を利用して電源を供給する２電源入力装置１において、相手装置の電源能力に左右され電圧状態が不安定な状態であっても、動作電源を判別し、電圧をモニターすることで、チャージ回路１４とディスチャージ回路１５とを動作電源の判別結果と瞬時停電に応じて動作させることができ、製品性能保証時間を確保することができ、２電源入力装置１が通信装置である場合における通話の途切れや接続遮断を防止することができ、相手との会話を支障なく行うことができる。
【００２４】
（実施の形態２）
図２は、本発明の実施の形態２による２電源入力装置を示すブロック図である。図２において、２電源入力装置１、入力電源ライン２、３、電源変換回路１１、動作電源判別回路１２、バックアップバッテリー回路１３、チャージ回路１４、ディスチャージ回路１５、制御回路１６は図１と同様のものなので、同一符号を付し、説明は省略する。１７は電源変換回路１１を制御する電源制御回路である。
【００２５】
このように構成された２電源入力装置１について、その動作を説明する。
【００２６】
実施の形態１と同様に、２電源入力装置１に入力されるＶ１の入力電源とＶ２の入力電源（どちらか一方もしくは両方とも入力）は、電源変換回路１１及びチャージ回路１４に入力される。電源変換回路１１では、入力された電源は、制御回路１６に必要な電圧にＤＣ／ＤＣコンバータやレギュレータ等により変換され制御回路１６に供給される。一方チャージ回路１４は、瞬時停電時に製品性能保証時間を満足するためのバッテリー（電気二重層コンデンサ：スーパーキャパシタ）を充電するときの充電電圧や充電時間を制御する為の回路で構成されている。そして、この充電の制御条件に従って、バックアップバッテリー回路１３のバッテリーが、瞬時停電が発生した時に製品性能保証時間を満足するように充電される。また、動作電源判別回路１２は、現在２電源入力装置１に入力されている
電源がＶ１の入力電源なのかＶ２の入力電源なのかを判別したり、入力電源の電圧を常にモニターして制御回路１６にその情報を送る。ディスチャージ回路１５は、２電源入力装置１が何らかの原因で瞬時停電状態になった時に製品性能保証時間を満足するようにバックアップバッテリー回路１３のバッテリーより放電をさせる。ここで、本実施の形態では、動作電源判別回路１２で常に入力電源の電圧をモニターし、その情報を制御回路１６に送っているので、その情報から入力電源が安定して２電源入力装置１に供給されていると判定できると、今度は制御回路１６より電源制御回路１７に入力電源が安定してるという情報を送る。この情報により電源制御回路１７は、電源変換回路１１を制御する信号を送り、製品が正常動作する上で最小限必要な電源のみを活性状態に継続させ、待機状態においては必要のない電源（最小限必要な電源以外の電源）は非活性状態にする。また、省電力モードより動作状態にしなければいけないときには、現在非活性状態の回路ブロックを再び活性状態に戻して、動作状態にするようにする。
【００２７】
このように、本実施の形態によれば、現在使用している動作電源が安定して供給されているかどうかを判定する機能を持たせることで、安定して供給されていると判定できると、その製品が正常動作する上で最小限必要な電源のみを活性状態に継続させ、待機状態においては必要ない電源は非活性状態にする。また、動作状態になった時は再びその電源（つまり最小限必要な電源以外の電源）を活性状態にする。つまり、通常モードの動作状態（通常動作状態）から省電力モードへまたはその逆にも電源を制御できる機能を持つ事で、結果的に２電源入力装置１の電力消費を低減することができる。
【産業上の利用可能性】
【００２８】
本発明は、２つの入力電源（例えば電源発生箇所が近い入力電源と遠い入力電源）をもつと共に瞬時停電時のバックアップ機能を有する２電源入力装置に関し、電話線やＬＡＮケーブルなどを利用する遠隔地給電において瞬時停電が発生しても所望の製品性能保証時間を満足することができる
【図面の簡単な説明】
【００２９】
【図１】本発明の実施の形態１による２電源入力装置を示すブロック図
【図２】本発明の実施の形態２による２電源入力装置を示すブロック図
【符号の説明】
【００３０】
１    ２電源入力装置
２、３    入力電源ライン
１１    電源変換回路
１２    動作電源判別回路
１３    バックアップバッテリー回路
１４    チャージ回路
１５    ディスチャージ回路
１６    制御回路
１７    電源制御回路
【図１】
2005287218.tif 000003
【図２】
2005287218.tif 000004